(57)【要約】  【課題】本発明は、ペットの治療を楽に行うことができ、且つ無駄な水の使用量を抑えることができるペット用浴槽付き治療装置を提供する。【解決手段】浴槽４を有する装置本体２と、浴槽４の上部開口部を塞ぐように配置され装置本体２に着脱可能な診察台２７とを設けて、浴槽４を、浴槽下部７の横断面の大きさを浴槽上部６よりも小さくして段差を形成することにより内面に受け部１０を設け、同受け部１０に複数の孔を有する底上げ板５を載置することで浴槽上部６と浴槽下部７とに区画可能にし、浴槽下部７の容積を浴槽上部６よりも縮小する。【選択図】図１
2009261444.tif 000002
【特許請求の範囲】
【請求項１】
ペットの診察や治療に用いられるペット用浴槽付き治療装置において、
浴槽を有する装置本体と、前記浴槽の上部開口部を塞ぐように配置され前記装置本体に着脱可能な診察台とを備え、前記浴槽は、浴槽下部の横断面の大きさを浴槽上部よりも小さくして段差を形成することにより内面に受け部が設けられ、同受け部に複数の孔を有する底上げ板を載置することで前記浴槽上部と前記浴槽下部とに区画することができ、前記浴槽下部の容積は前記浴槽上部よりも縮小されていることを特徴とするペット用浴槽付き治療装置。
【請求項２】
前記浴槽下部に収納可能な節水ブイが設けられていることを特徴とする請求項１記載のペット用浴槽付き治療装置。
【請求項３】
前記受け部には、前記底上げ板の代わりに、周回する無端ベルトを備えたトレッドミルを載置することができ、同トレッドミルは、前記無端ベルトが懸回された一対のプーリが所定の間隔をあけて平行に配設されているランニング台上に、電動機を支持している電動機支持架台が、前記電動機の下方に前記プーリの一方が位置するように立設され、前記電動機とその下方に位置する前記プーリとが動力伝達手段によって連係されていることを特徴とする請求項１又は２記載のペット用浴槽付き治療装置。
【請求項４】
前記浴槽上部に、水流を発生させる噴出口が設けられていることを特徴とする請求項１〜３のいずれかに記載のペット用浴槽付き治療装置。
【請求項５】
前記浴槽に、微細な気泡を噴出する噴射口が設けられていることを特徴とする請求項１〜４のいずれかに記載のペット用浴槽付き治療装置。
【請求項６】
前記装置本体に蛇口やシャワーなどが備え付けられていることを特徴とする請求項１〜５のいずれかに記載のペット用浴槽付き治療装置。
【発明の詳細な説明】
【技術分野】
【０００１】
本発明は、特に動物病院等においてペットの診察や治療等に用いられるペット用浴槽付き治療装置に関する。
【背景技術】
【０００２】
従来、犬や猫等のペットの診察や怪我や病気に対する治療などを行う際に使用されるペット用浴槽付き治療装置として次のような装置が提案されている。即ち、ペットが入る十分な大きさを備えた浴槽と、ペットを乗せて頭部及び胴部を拘束することができる浴槽スタンドとを備え、同浴槽スタンドが浴槽の底に設置された高低調整台によって支持されているペット用浴槽付き治療装置である（例えば、特許文献１参照）。このペット用浴槽付き治療装置は、ペットを移動させることなく入浴、治療、美容などを行うことができ、また、ペットを浴槽スタンドに拘束するため手で抑えておく必要がなく、且つ浴槽スタンドを回転させることによってペットの向きを簡単に変えることができるので、手間のかかる作業を楽に行うことができる。
【特許文献１】特表２００７−５１２８３０公報（第７〜９頁、第１〜２図、第９〜１０図）
【発明の開示】
【発明が解決しようとする課題】
【０００３】
しかしながら、上記のペット用浴槽付き治療装置は、高低調整台によって浴槽スタンドを昇降させることができるため、ペットの大きさによって浴槽スタンドの高さを調節すれば作業者は腰を屈めて作業しなくてもよくなり、体への負担を軽減することができるものの、ペットを浴槽スタンドによって持ち上げた状態で入浴させるので、持ち上げた分だけ浴槽の水深を深くしなければならず、余計に水が必要になる。
【０００４】
そこで本発明は、ペットの治療を楽に行うことができて、且つ無駄な水の使用量を抑えることができるペット用浴槽付き治療装置を提供することを目的としている。
【課題を解決するための手段】
【０００５】
請求項１記載のペット用浴槽付き治療装置は、ペットの診察や治療に用いられるペット用浴槽付き治療装置において、浴槽を有する前記装置本体と、前記浴槽の上部開口部を塞ぐように配置され前記装置本体に着脱可能な診察台とを設けて、前記浴槽を、浴槽下部の横断面の大きさを浴槽上部よりも小さくして段差を形成することにより内面に受け部を設け、同受け部に複数の孔を有しする底上げ板を載置することで前記浴槽上部と前記浴槽下部とに区画可能とし、前記浴槽下部の容積を前記浴槽上部よりも縮小することを特徴としている。
【０００６】
この請求項１記載のペット用浴槽付き治療装置によれば、前記装置本体における前記浴槽の前記上部開口部に前記診察台を取り付けることでペットの診察や怪我の手当て等の処置を行うことができ、一方、前記診察台を前記装置本体から取り外すことで、水の浮力を利用した関節障害等の治療や、皮膚洗浄、薬浴などが行える多機能バスとして使用することができる。
【０００７】
また、前記浴槽の前記受け部に前記底上げ板を載置すれば、小型のペットを扱う際、腰を屈めずに作業を行うことができるため、体への負担を軽減することができる。しかも、前記浴槽下部は前記浴槽上部よりも横断面の大きさを小さくし、且つ容積を縮小しているので、無駄な水の使用量を抑えることができる。これは、大型のペットを扱う場合には、前記底上げ板を外した状態で前記浴槽を使用するが、前記浴槽下部はペットの足が位置した状態になるため、胴体部分が位置した状態になる前記浴槽上部に比べて狭くても対応できるからである。
【０００８】
請求項２記載の医療システム装置は、浴槽下部に収納可能な節水ブイを設けることを特徴としている。この請求項２のペット用浴槽付き治療装置は、前記節水ブイを前記浴槽下部に収納することで前記浴槽下部に入る水の量を減らすことができるので、前記底上げ板を取り付けてペットを扱う際に使用する水量を減らすことができる。前記節水ブイは前記底上げ板を取り外せばその浮力により水面に浮上するので取り出しが容易に行える。なお、前記節水ブイを前記浴槽下部に収納する際、前記浴槽の水を抜いて浮力が作用しない状態で行えば容易に作業することができる。前記節水ブイは一個のものであっても良いし、複数に分割されているものでも良い。
【０００９】
請求項３記載のペット用浴槽付き治療装置は、受け部に、底上げ板の代わりに、周回する無端ベルトを備えたトレッドミルを載置可能とし、同トレッドミルを、前記無端ベルトが懸回された一対のプーリが所定の間隔をあけて平行に配設されているランニング台上に、電動機を支持している電動機支持架台を、前記電動機の下方に前記プーリの一方が位置するように立設し、前記電動機とその下方に位置する前記プーリとを動力伝達手段によって連係させることを特徴としている。
【００１０】
この請求項３記載のペット用浴槽付き治療装置によれば、前記トレッドミルは、前記浴槽に対し前記ランニング台と前記電動機とを一体で着脱可能になっているため、治療方法に合わせた前記浴槽の使い分けができるようになる。
【００１１】
つまり、トレッドミルを備えた従来の装置は、トレッドミルが固定式になっており、電動機と連係するプーリの軸を、装置本体を貫通させた状態で外方に突出させ、チェーン等の動力伝達手段によって連係させている。したがって、トレッドミルを装置本体から取り出すことができないし、軸周りの水密構造が必要になるため構造が複雑になる。それに対して、本発明は前記ランニング台上に立設している前記電動機支持架台に前記電動機を支持させ、この電動機を前記プーリと前記動力伝達手段を介して連係させているために、前記プーリの軸が前記装置本体を貫通しておらず、軸周りの水密構造が不要になり、前記装置本体の構造を簡単にすることができる。
【００１２】
このように、前記トレッドミルを用いる治療を手軽に行えるので、特に、高齢のペットの体力回復、ダイエット、股関節障害の治療、筋力アップ、筋肉退化防止、心肺機能強化、ストレス解消などの治療等を効果的に行うことができる。
【００１３】
請求項４記載のペット用浴槽付き治療装置は、浴槽上部に、水流を発生させる噴出口を設けることを特徴としている。この請求項４のペット用浴槽付き治療装置によれば、ペットを水流に抗して歩行させることによって治療やリハビリ等の効果を上げることができる。なお、前記噴出口は前記浴槽上部に設けているため、前記底上げ板を使用する小型のペットに対しても大型のペットと同様の治療等を行うことができる。
【００１４】
請求項５記載のペット用浴槽付き治療装置は、前記浴槽に、微細な気泡を噴出する噴射口を設けることを特徴としている。この請求項５のペット用浴槽付き治療装置によれば、前記微細な気泡（マイクロバブル）により、温浴効果やリラクゼーション効果、洗浄効果などを高めることができる。
【００１５】
請求項６記載のペット用浴槽付き治療装置は、装置本体に蛇口やシャワーなどを備え付けること特徴としている。この請求項６記載のペット用浴槽付き治療装置によれば、給水設備から離れた場所に配置することができるため、設置場所を自由に選ぶことができる。
【発明の効果】
【００１６】
請求項１及び請求項２に係るペット用浴槽付き治療装置は、作業等が楽に行えるようになるため作業性が向上し、腰などの体への負担も軽減されるので腰痛などを予防することができる。また、水の無駄遣いをなくし環境に配慮した治療等が行える。特に、請求項２に係るペット用浴槽付き治療装置のように、節水ブイを設けると、水の使用量を大幅に減らすことができる。請求項３〜請求項５に係るペット用浴槽付き治療装置の場合は、治療やリハビリ等の効果を高めることができ、特に、請求項３のペット用浴槽付き治療装置はトレッドミルを用いた効果的な治療等を手軽に行うことができる。また、トレッドミルは装置本体に対して簡単に着脱することができるので、無端ベルトの交換などメンテナンスが容易に行える。請求項４のペット用浴槽付き治療装置は、筋力アップや心肺機能の強化等に特に効果があり、請求項５のペット用浴槽付き治療装置は、血圧正常化や皮膚病の治療や予防などに特に効果がある。請求項６のペット用浴槽付き治療装置の場合は、配置を自由に決めることができるので、作業効率の良いレイアウトを実現することができる。
【発明を実施するための最良の形態】
【００１７】
以下に、本発明に係るペット用浴槽付き治療装置の実施形態を第１図〜第１０図を参照ながら説明を行う。第１図にはペット用浴槽付き治療装置１の正面図を示し、第２図には幅方向における縦断面図を示し、第３図には平面図を示している。このペット用浴槽付き治療装置１は、概ね高さ１０００ｍｍ×長さ９００ｍｍ×幅６００ｍｍのサイズに形成された装置本体２を備えており、装置本体２の底面の四隅にキャスター３をそれぞれ配設して移動を容易に行えるようにしている。なお、図中の矢印Ｘが長さ方向を示し、矢印Ｙが幅方向を示している。
【００１８】
装置本体２には、上面の一部が開口されて浴槽４が設けられている。この浴槽４は図２に示すように、底上げ板５（図５参照）によって浴槽上部６と浴槽下部７とに区画できるようになっている。そして、幅方向Ｙにおける浴槽下部７の内幅を浴槽上部６よりも小さくすることで、対向する内面８、９のそれぞれに段差を形成し、これらの段差が底上げ板５の受け部１０として用いられている。また、内面８、９の浴槽下部７を構成する部分は、内側に傾斜するように設けられているため、浴槽下部７は浴槽上部６よりも横断面の大きさが小さく、且つ高さも低く設定されているので、容積が縮小されたかたちになっている。
【００１９】
浴槽４の長さ方向Ｘに位置する内面１１、１２のうち内面１１には、浴槽下部７を構成する部分にペットの抜け毛などのゴミを捕集するためのストレーナ（網付吸込口）９が配設されている。このストレーナ９は装置本体２内に設けられている循環ポンプ４９に接続されている。
【００２０】
一方、内面１１の浴槽上部６を構成する部分には、水流を発生させることができる水の噴出口１５が中央付近に二箇所横に並んだ状態で配置されており、さらに、その上方にオーバーフロー口１６が配置されている。また、内面８、９の浴槽上部６を構成する部分にはそれぞれ、微細な気泡（マイクロバブル）を噴射する噴射口１７が受け部１０の近傍に二箇所ずつ配置されている。なお、符号５０はポンプ・排水用の制御スイッチであり、防水用ナイロンカバー５１で覆われている。このような浴槽４の底面１３に排水口１４が配置されている。
【００２１】
浴槽４を浴槽上部６と浴槽下部７とに区画する底上げ板５は、図示は省略するが耐食性のあるステンレス材が用いられ、スノコ状に隙間が多数設けられた形状になっており、両方の受け部１０に掛け渡した状態で支持される。この底上げ板５を着脱することによって、浴槽上部６のみを使用したり、或いは浴槽４全体を使用したりと、ペットの大きさによって使い分けることができる。
【００２２】
このような構成を有する浴槽４を備えた装置本体２には、抱き上げることが難しい大型のペットを浴槽４内に導き入れるための扉１８が、長さ方向Ｘの一側面であって浴槽４の内面１２側に設けられている。この扉１８は、装置本体２の上面から受け部１０付近に達する長さを有するとともに、浴槽上部６の幅方向Ｙの長さに匹敵する幅を有し、下端部を支点に上下方向に開閉可能になっている。扉１８と反対の他側面にはマグネットによる着脱式の点検窓４８が設けられている。
【００２３】
また、装置本体２の上面には、扉１８と反対側に蛇口１９とシャワーヘッドを引き出して使用するタイプの微細な気泡を同時に噴射可能なマイクロバブルャワー２０、及び引き出しタイプの洗浄用シャワー２１、マイクロバブルの噴射や水噴出などを操作するための操作スイッチ２２が配置されている。なお、符号２３はマイクロバブルシャワー２０のハンドルを示し、符号２４は洗浄用シャワー２１のハンドルを示している。また、装置本体２の幅方向の両側面にはそれぞれアクリ板２５が取り付けられて横長長方形状の窓２６が設けられており、これらの窓２６を通して浴槽４内部の様子を確認できるようになっている。
【００２４】
装置本体２の上面の浴槽４の上部開口部は、図４に示すように、スノコ状に形成されたペットの診察台２７を置くことによって塞ぐことができ、通常診察台２７の上には薄い医療用マット２８を敷設してからペットを乗せる。
【００２５】
このようなペット用浴槽付き治療装置１は、ペットの診察や手術などの処置を行う診察台として用いるときは、診察台２７を装置本体２に取り付け、その上に医療用マット２８を敷設して使用する。もし、傷口の洗浄などをする必要がある場合には、マットを除けて排水が浴槽４内に落ちるようにする。
【００２６】
一方、皮膚洗浄や、水の浮力を利用したリハビリなどの治療を行うときには、診察台２７を装置本体２から取り外し、水治療用バスとして使用する。このとき、小型のペットを扱う場合は、底上げ板５を浴槽４内に両受け部１０間に掛け渡すようにして取り付け、浴槽４に所定量の水又はお湯を溜める。そして、ペットを抱きかかえて浴槽４内に入れ、底上げ板５の上に乗せる（図５（ａ））。なお、浴槽４に入れる水又はお湯の量は、ペットが底上げ板５の上に乗ったときに、首から下が浸かる程度にしておく。
【００２７】
この状態で噴射口１７からマイクロバブルを噴射させると、微細な気泡によって温浴効果やリラクゼーション効果が高められ、血行をさらに促進したり、ストレスを解消したりすることができる。また、マイクロバブルによって皮膚の古い角質や毛穴の老廃物汚等がきれいに落ちるので、皮膚病などの治療を効果的に行うことができる（図５（ａ））。なお、符号Ｐはペットを示し、符号２９は噴射口１７からのマイクロバブルの噴射状態を示している。また、マイクロバブルシャワーを使用する    ことによって、浴槽４の噴射口１７から噴射されたマイクロバブルが当りにくい背中などに対してもマイクロバブルを当てることができる（図５（ｂ））。この他にも、浴槽４に水又はお湯を溜めずに、洗浄用シャワーを用いてシャンプーなどを行うこともできる。
【００２８】
このように小型のペットを扱う際、底上げ板５の上にペットを乗せるようにすることで、治療者は腰をかがめた状態のままでの作業を避けることができ、体への負担が軽減され楽に治療等を行うことができる（図５（ｄ））。そして、内面８、９の浴槽下部７を構成する部分は、内側に傾斜するように設けられているため、図５（ｃ）における斜線部分の水を節約することができる。さらに、浴槽下部７に節水ブイ３０を収納しておけば、浴槽４に入れる水の量を減らすことができるので、水を節約することができる（図５（ｂ）、図５（ｃ））。この節水ブイ３０は内部に浮力体が収納されて、幅方向Ｙの縦断面形状を逆台形型にするとともに、長さ方向Ｘに長く形成した形になっている。そして、浴槽下部７に収納可能で且つ浴槽下部７の容積に相当する体積を有している。節水ブイ３０は浮力体が収納されているので、浴槽下部７に収納するときは浴槽４に水又はお湯を入れる前に行い、浴槽下部７から取り出すときは、浴槽４に水又はお湯が入った状態で底上げ板５を取り外せば、自動的に水面に浮き上がってくるので浴槽４から取り出しやすくなる。
【００２９】
一方、大型のペットＰ’を扱う場合は、図６（ａ）に示すように、底上げ板５を取り外し、開放した装置本体２の扉１８から浴槽４内にペットＰ’を誘導する。そして、扉１８を閉めて浴槽４内に所定量の水又はお湯を溜める。そして、上述した小型のペットの場合と同様にして、治療やリハビリなどを行う（図６（ｂ）、（ｃ））。なお、符号Ｐ’はペットを示し、符号３１は噴射口１７からのマイクロバブルの噴射状態を示している。
また、浴槽４の噴出口１５から水を噴射し浴槽４内に水流を発生させ、この水流に抗して泳がせるなどの運動を行わせることにより、心肺機能や筋力の強化、体力回復や筋肉退化防止、股関節障害の治療などを行うことができる（図７（ａ）、（ｂ））。
【００３０】
さらに、このペット用浴槽付き治療装置１は、図８及び図９に示すトレッドミル３１を使った治療が行えるようになっている。なお、図８はトレッドミルの後方斜め上方から見た斜視図で、図９（ａ）は図８におけるＡ−Ａ方向矢視端面図（一部断面図を含む）であり、図９（ｂ）は図９（ａ）におけるＢ−Ｂ方向矢視端面図である。
【００３１】
トレッドミル３１は、所定の間隔をあけて平行に配置した一対の溝形鋼３２間に、両溝形鋼３２に掛け渡した状態で一対のプーリ（駆動プーリ３４と従動プーリ３５）を所定の間隔をあけて平行に配設し、これらの駆動プーリ３４・従動プーリ３５間に無端ベルト３６を懸回したランニング台３３を有している。ランニング台３３には、駆動プーリ３４・従動プーリ３５間において両溝形鋼３２に掛け渡し、無端ベルト３６のキャリア側をその裏面から支持する受け板５５が設けられている。また、駆動プーリ３４と従動プーリ３５との間には、これらのプーリと同様に両溝形鋼３２に掛け渡すようにして支持された中間プーリ３７が配置されている。この中間プーリ３７は無端ベルト３６のリターン側を押し上げるように設けられており、無端ベルト３６の弛みを防いでいる。ランニング台３３の駆動プーリ３４の近傍には両溝形鋼３２に掛け渡すようにして門形の電動機支持架台３８が立設されており、その上にモータ３９が配設されている。そして、モータ３９の出力軸４０とその真下に位置する駆動プーリの軸４１とがチェーン４２によって連結されている。電動機支持架台３８上にはモータ３９の他に制御部４３が設けられており、制御部４３とモータ３９とが１つのケーシング４４内に収納され、ケーシング４４の外面には制御部４３を操作する複数の操作ボタンが配設されている。これらの操作ボタンは、ＯＮ／ＯＦＦや速度調整を行うスイッチ４５、緊急停止用ボタン４６などである。また、ペットの腰に装着したハーネスを吊ることができる吊り部５２が設けられている。この吊り部５２は、Ｌ型に形成されたパイプ部材をその一片部５２ａを無端ベルト３６の走行方向と平行にするとともに他片部５２ｂを無端ベルト３６側向けて配置し、他片部５２ｂにおいて両溝形鋼３２間に掛け渡して立設した門型の支持部５３に支持させたものである。そして、一辺部５２ａには三個のリング状取付部５２ｃが等間隔で設けられている。
【００３２】
このトレッドミル３１は浴槽４の受け部１０に載置可能となっている。即ち、トレッドミル３１を浴槽４内の両受け部１０間に掛け渡すようにして支持させる。そして、所定量の水又はお湯を浴槽４に溜め、ペットＰを浴槽４の中に入れて無端ベルト３６の上に乗せる（図１０（ａ））。このペットＰが腰にヘルニア等の障害を有している場合、図に示すようにハーネス５４をペットＰの腰に装着し、吊り部５２のリング状取付部５２ｃのいずれかを使用してハーネス５４を吊り上げるようにする。それから、モータ３９を駆動し目的に応じたスピードで無端ベルト３６を周回させつつ、無端ベルト３６上でペットＰを歩かせる。このように無端ベルト３６上を歩いているペットには浮力が作用するため足への負担が少なく、例えば、高齢のペットや肥満のペット、股関節に障害を持つペットなどに対する治療やリハビリを効果的に行うことができる。そして、図のようなハーネス５４をペットＰに装着させれば腰や後ろ足の負担を大幅に軽減することができる。また、噴出口１５から水を噴出して浴槽４内に水流を発生させ、無端ベルト３６上を水流に逆らって歩かせることで、筋力強化や心肺機能強化のトレーニング等を行うことができる（図１０（ｂ）、（ｃ））。このように、ペットに無端ベルト３６上を歩かせているあいだ、噴射口１７からマイクロバブルを噴射すれば血行が促進され筋肉をほぐすことができるので、治療やリハビリの効果を上げることができる。なお、図１０（ｃ）の符号４７は噴出口１５から水が噴出されている状態を示している。
【００３３】
このトレッドミル３１は、モータ３９がランニング台３３に立設された電動機支持架台３８上に配設され、水に浸かった状態になる駆動プーリ４１とはチェーン４２を介して連係されているため特別な防水構造が必要なく、また、一体型であるため装置本体２に対して取り付け・取り外しが簡単に行える。よって、無端ベルト３６の交換などのメンテナンスも容易に行うことができる。
【図面の簡単な説明】
【００３４】
【図１】本発明に係るペット用浴槽付き治療装置の正面図。
【図２】図１に示したペット用浴槽付き治療装置の幅方向における縦断面図。
【図３】図１に示したペット用浴槽付き治療装置の平面図。
【図４】図１に示したペット用浴槽付き治療装置の診察台を取り付けた状態を示す平面図。
【図５】小型のペットを浴槽に入れて治療等している状態を示すペット用浴槽付き治療装置の断面図であり、（ａ）は長さ方向における縦断面図、（ｂ）は節水ブイを取り付けた状態を示す長さ方向における縦断面図、（ｃ）は（ｂ）の幅方向における縦断面図、（ｄ）は作業状態を示す幅方向における縦断面図。
【図６】大型のペットを浴槽に入れた状態を示すペット用浴槽付き治療装置の断面図であり、（ａ）は扉を開放した状態を示す長さ方向における縦断面図、（ｂ）は治療等している状態を示す長さ方向における縦断面図、（ｃ）は（ｂ）の幅方向における縦断面図。
【図７】浴槽に水流を発生させて治療等している状態を示すペット用浴槽付き治療装置の断面図であり、（ａ）は小型のペットを浴槽に入れた状態を示す長さ方向における縦断面図、（ｂ）は大型のペットを浴槽に入れた状態を示す長さ方向における縦断面図。
【図８】（ａ）はトレッドミルの後方斜め上から見た斜視図。
【図９】（ａ）は図８におけるＡ−Ａ方向矢視端面図（一部断面図を含む）、（ｂ）は図８におけるＢ−Ｂ方向矢視端面図。
【図１０】トレッドミルを浴槽に配置した状態を示すペット用浴槽付き治療装置の断面図であり、（ａ）は小型のペットを浴槽に入れ治療等をしている状態を示す長さ方向における縦断面図、（ｂ）は（ａ）において浴槽に水流を発生させている状態を示す長さ方向における縦断面図、（ｃ）は（ｂ）の幅方向における縦断面図。
【符号の説明】
【００３５】
１        ペット用浴槽付き治療装置
２        装置本体
４        浴槽
５        底上げ板
６        浴槽上部
７        浴槽下部
１５      噴出口
１７      噴射口
３０      節水ブイ
３１      トレッドミル
Ｐ、Ｐ’  ペット
【図１】
2009261444.tif 000003
【図２】
2009261444.tif 000004
【図３】
2009261444.tif 000005
【図４】
2009261444.tif 000006
【図５】
2009261444.tif 000007
【図６】
2009261444.tif 000008
【図７】
2009261444.tif 000009
【図８】
2009261444.tif 000010
【図９】
2009261444.tif 000011
【図１０】
2009261444.tif 000012